(57)【要約】【課題】多数の商品やテスターを、その関連情報をわかりやすく提供しながら陳列することができ、しかもその入れ替えや配置替えを容易に行うことのできる商品陳列方法およびそれに用いる商品陳列台を提供する。【解決手段】陳列面に、外形寸法が統一されたテスター１２を収容しうる収容凹部１３を複数個、規則的な配置で形成するとともに、上記テスター１２の外形と略同一寸法の外形を有する画像表示装置１４Ａ〜１４Ｃを準備し、上記収容凹部１３を用いて、テスター１２と画像表示装置１４Ａ〜１４Ｃとを規則的に陳列するとともに、上記画像表示装置１４Ａ〜１４Ｃの液晶画面１５において、その近傍に陳列されたテスター１２に関連する情報を表示するようにした。【選択図】図１
2010207277.tif 000002
【特許請求の範囲】
【請求項１】
外形が同一寸法となるよう統一された商品もしくはテスターを複数個並べて陳列する方法であって、その陳列予定面に、上記商品もしくはテスターを収容しうる収容凹部を複数個、規則的な配置で形成するとともに、上記商品もしくはテスターの外形と略同一寸法の外形を有する少なくとも一個の画像表示装置を準備し、上記収容凹部を用いて、商品もしくはテスターと上記画像表示装置とを規則的に陳列するとともに、上記画像表示装置の表示画面において、上記画像表示装置の近傍に陳列された商品もしくはテスターに関連する情報を表示するようにしたことを特徴とする商品陳列方法。
【請求項２】
上記商品もしくはテスターを個別に収容しうる収容凹部のうち、少なくともその一部を、商品もしくはテスターを複数個並べた状態で収容しうる連続凹部に形成し、少なくとも上記連続凹部内に商品もしくはテスターと上記画像表示装置とを組み合わせて収容するようにした請求項１記載の商品陳列方法。
【請求項３】
外形が同一寸法となるよう統一された商品もしくはテスターを複数個並べて陳列する方法であって、その陳列予定面に、上記商品もしくはテスターを収容しうる収容凹部を複数個、規則的な配置で形成し、かつその少なくとも一部を、商品もしくはテスターを複数個並べた状態で収容しうる連続凹部に形成するとともに、上記商品もしくはテスターを複数個連続的に並べた状態の外形と略同一寸法の外形を有する少なくとも一個の画像表示装置を準備し、少なくとも上記連続凹部を用いて上記画像表示装置を陳列し、連続凹部の一部もしくは連続凹部以外の収容凹部を用いて商品もしくはテスターを陳列することにより、商品もしくはテスターと上記画像表示装置とを規則的に陳列するとともに、上記画像表示装置の表示画面において、上記画像表示装置の近傍に陳列された商品もしくはテスターに関連する情報を表示するようにしたことを特徴とする商品陳列方法。
【請求項４】
外形が同一寸法となるよう統一された商品もしくはテスターを複数個並べて陳列するための商品陳列台であって、上記商品もしくはテスターを収容しうる収容凹部が複数個、規則的な配置で形成された陳列面と、上記商品もしくはテスターの外形と略同一寸法の外形を有する少なくとも一個の画像表示装置とを備え、上記収容凹部を用いて、商品もしくはテスターと上記画像表示装置とが規則的に陳列され、上記画像表示装置の表示画面において、上記画像表示装置の近傍に陳列された商品もしくはテスターに関連する情報が表示されるようになっていることを特徴とする商品陳列台。
【請求項５】
上記商品もしくはテスターを個別に収容しうる収容凹部のうち、少なくともその一部が、商品もしくはテスターを複数個並べた状態で収容しうる連続凹部に形成されており、少なくとも上記連続凹部内に商品もしくはテスターと上記画像表示装置とが組み合わせて収容されるようになっている請求項４記載の商品陳列台。
【請求項６】
外形が同一寸法となるよう統一された商品もしくはテスターを複数個並べて陳列するための商品陳列台であって、上記商品もしくはテスターを収容しうる収容凹部が複数個、規則的な配置で形成され、かつその少なくとも一部が、商品もしくはテスターを複数個並べた状態で収容しうる連続凹部に形成された陳列面と、上記商品もしくはテスターを複数個連続的に並べた状態の外形と略同一寸法の外形を有する少なくとも一個の画像表示装置とを備え、少なくとも上記連続凹部に上記画像表示装置が陳列され、連続凹部の一部もしくは連続凹部以外の収容凹部に上記商品もしくはテスターが陳列されることにより、商品もしくはテスターと上記画像表示装置とが規則的に陳列され、上記画像表示装置の表示画面において、上記画像表示装置の近傍に陳列された商品もしくはテスターに関連する情報が表示されるようになっていることを特徴とする商品陳列台。
【請求項７】
上記画像表示装置が、画像表示装置自身もしくは収容凹部内に設けられた起立手段、あるいは両者に設けられた係合手段によって、上記収容凹部内において所定の角度で起立するようになっている請求項４〜６のいずれか一項に記載の商品陳列台。
【発明の詳細な説明】
【技術分野】
【０００１】
本発明は、店頭で多数の商品やテスターを、その関連情報を提供しながら陳列することができ、しかもその入れ替えや配置替えを容易に行うことのできる商品陳列方法およびそれに用いる商品陳列台に関するものである。
【背景技術】
【０００２】
従来から、セルフタイプの化粧品販売店やドラッグストア等では、店員に相談することなく、顧客自身が店頭等で化粧品を自由に選択することができるように、大型の化粧品陳列用什器を設置して、各棚に化粧品や試供用のテスターを、日用雑貨のように大量に陳列することが行われている。
【０００３】
上記陳列を行う場合、化粧品やテスターを、直接什器の棚板上に並べるのではなく、棚面をいくつかに分割し、各分割スペースに、化粧品やテスターを収容保持する小型の陳列台を並べて陳列する方法が多く行われている。すなわち、このような小型の陳列台を用いて陳列を行うと、商品やテスターの入れ替えや配置替えが容易で、少ない労力で、最適な陳列形態を維持管理できるからである。
【０００４】
このような陳列台としては、例えば図１１に示すようなものがあげられる。この陳列台は、その陳列面に、中皿（図示せず）に充填されたパウダーファンデーション１（色見本）と、これを収容するテスター収容皿２とからなるテスター３が、試供用として多数、規則的に収容されており、別に陳列されているコットンや刷毛によって、顧客が自分の肌にこれを塗って、塗った感じや肌の上での色合い等を確認することができるようになっている。
【０００５】
上記テスター収容皿２は、色見本の入れ替えや新商品との置き換え等をスムーズに行うことができるよう、全て同一寸法（この例では、図示のように、外形寸法が６５ｍｍ×６５ｍｍ×１０ｍｍ）に規格化されている場合が多い。このため、陳列台の陳列面上に、上記テスター収容皿２を略隙間なく縦横に並べることができ、限られたスペースに多数の色見本を陳列することができるという利点を有する反面、テスター３が陳列された陳列面に、その商品説明や広告を表示する余白部を設けにくいという問題がある。仮に設けても、陳列部分との統一感を得ることができない。ちなみに、この例では、陳列台の背面パネル４と前端面５を利用して、商品名やキャッチフレーズ等を表示しているが、陳列された個々のテスター３と具体的に関連した表示ではないため、陳列された個々のテスター３を、顧客に強く印象づける効果に乏しいという問題がある。
【０００６】
ところで、最近、店頭の陳列什器に液晶表示パネルを組み込んで、陳列商品の使用方法やその効能を、視覚的に表示するようにしたもの（特許文献１参照）や、商品の展示部に、静止画像やテレビ画像を表示する小型電子画像装置を取り付けて、そこに展示される商品に関する情報や新商品の広告情報を提供するようにしたもの（特許文献２参照）が提案され、一部で実用化されている。
【先行技術文献】
【特許文献】
【０００７】
【特許文献１】特開平１１−７６０１６号公報
【特許文献２】特開平７−１３４５５５号公報
【発明の概要】
【発明が解決しようとする課題】
【０００８】
しかしながら、上記特許文献１のように、陳列什器に液晶表示パネルを組み込んだものは、什器がさらに大型化するため、限られたスペースに多種多様の商品をできるだけ多く陳列する、というセルフ販売形式の陳列形態にはなじみにくいという問題がある。しかも、上記液晶表示パネルは、見栄えをよくするために、通常、什器の裏側から取り付けられているため、液晶表示パネルにトラブルが生じた場合やこれを新機種に交換する場合、いちいち什器を手前にずらして裏側に入り込んで作業を行わなければならず、メンテナンス作業性が悪いという問題がある。
【０００９】
また、上記特許文献２のように、小型電子画像装置を用いたものは、これを、展示部の正面から手前に突出させた状態で取り付けるようになっているため、この陳列構造を化粧品テスターの陳列に適用すると、顧客が手を伸ばして化粧品テスターを試供する動作の邪魔になり、実用的でないという問題がある。しかも、上記どちらのタイプも、その表示画面によって提供される情報が、陳列商品と具体的に関連づけて表示されるわけではないため、前記の場合と同様、陳列商品を強く印象づけることができないという問題を、依然として有している。
【００１０】
本発明は、このような事情に鑑みなされたもので、多数の商品やテスターを、その関連情報をわかりやすく提供しながら陳列することができ、しかもその入れ替えや配置替えを容易に行うことのできる、優れた商品陳列方法と、それに用いる商品陳列台の提供を、その目的とする。
【課題を解決するための手段】
【００１１】
上記の目的を達成するため、本発明は、外形が同一寸法となるよう統一された商品もしくはテスターを複数個並べて陳列する方法であって、その陳列予定面に、上記商品もしくはテスターを収容しうる収容凹部を複数個、規則的な配置で形成するとともに、上記商品もしくはテスターの外形と略同一寸法の外形を有する少なくとも一個の画像表示装置を準備し、上記収容凹部を用いて、商品もしくはテスターと上記画像表示装置とを規則的に陳列するとともに、上記画像表示装置の表示画面において、上記画像表示装置の近傍に陳列された商品もしくはテスターに関連する情報を表示するようにした商品陳列方法を第１の要旨とする。
【００１２】
また、本発明は、そのなかでも、特に、上記商品もしくはテスターを個別に収容しうる収容凹部のうち、少なくともその一部を、商品もしくはテスターを複数個並べた状態で収容しうる連続凹部に形成し、少なくとも上記連続凹部内に商品もしくはテスターと上記画像表示装置とを組み合わせて収容するようにした商品陳列方法を第２の要旨とする。
【００１３】
さらに、本発明は、外形が同一寸法となるよう統一された商品もしくはテスターを複数個並べて陳列する方法であって、その陳列予定面に、上記商品もしくはテスターを収容しうる収容凹部を複数個、規則的な配置で形成し、かつその少なくとも一部を、商品もしくはテスターを複数個並べた状態で収容しうる連続凹部に形成するとともに、上記商品もしくはテスターを複数個連続的に並べた状態の外形と略同一寸法の外形を有する少なくとも一個の画像表示装置を準備し、少なくとも上記連続凹部を用いて上記画像表示装置を陳列し、連続凹部の一部もしくは連続凹部以外の収容凹部を用いて商品もしくはテスターを陳列することにより、商品もしくはテスターと上記画像表示装置とを規則的に陳列するとともに、上記画像表示装置の表示画面において、上記画像表示装置の近傍に陳列された商品もしくはテスターに関連する情報を表示するようにした商品陳列方法を第３の要旨とする。
【００１４】
また、本発明は、外形が同一寸法となるよう統一された商品もしくはテスターを複数個並べて陳列するための商品陳列台であって、上記商品もしくはテスターを収容しうる収容凹部が複数個、規則的な配置で形成された陳列面と、上記商品もしくはテスターの外形と略同一寸法の外形を有する少なくとも一個の画像表示装置とを備え、上記収容凹部を用いて、商品もしくはテスターと上記画像表示装置とが規則的に陳列され、上記画像表示装置の表示画面において、上記画像表示装置の近傍に陳列された商品もしくはテスターに関連する情報が表示されるようになっている商品陳列台を第４の要旨とする。
【００１５】
そして、本発明は、そのなかでも、特に、上記商品もしくはテスターを個別に収容しうる収容凹部のうち、少なくともその一部が、商品もしくはテスターを複数個並べた状態で収容しうる連続凹部に形成されており、少なくとも上記連続凹部内に商品もしくはテスターと上記画像表示装置とが組み合わせて収容されるようになっている商品陳列台を第５の要旨とする。
【００１６】
さらに、本発明は、外形が同一寸法となるよう統一された商品もしくはテスターを複数個並べて陳列するための商品陳列台であって、上記商品もしくはテスターを収容しうる収容凹部が複数個、規則的な配置で形成され、かつその少なくとも一部が、商品もしくはテスターを複数個並べた状態で収容しうる連続凹部に形成された陳列面と、上記商品もしくはテスターを複数個連続的に並べた状態の外形と略同一寸法の外形を有する少なくとも一個の画像表示装置とを備え、少なくとも上記連続凹部に上記画像表示装置が陳列され、連続凹部の一部もしくは連続凹部以外の収容凹部に上記商品もしくはテスターが陳列されることにより、商品もしくはテスターと上記画像表示装置とが規則的に陳列され、上記画像表示装置の表示画面において、上記画像表示装置の近傍に陳列された商品もしくはテスターに関連する情報が表示されるようになっている商品陳列台を第６の要旨とする。
【００１７】
また、本発明は、それらのなかでも、特に、上記画像表示装置が、画像表示装置自身もしくは収容凹部内に設けられた起立手段、あるいは両者に設けられた係合手段によって、上記収容凹部内において所定の角度で起立するようになっている商品陳列台を第７の要旨とする。
【発明の効果】
【００１８】
すなわち、本発明の商品陳列方法は、外形が同一寸法となるよう統一された商品もしくはテスターを陳列する際に、上記商品もしくはテスターと略同一寸法の外形を有する画像表示装置を準備し、この画像表示装置と、商品もしくはテスターとを、その陳列予定面に画一的に形成された収容凹部内を利用して、規則的に陳列するとともに、上記画像表示装置によって、その画像表示装置の近傍に陳列された商品もしくはテスターに関連する情報を表示するようにしたものである。
【００１９】
この商品陳列方法によれば、従来、商品情報等を表示するために、商品等の陳列面とは別の場所に設置されていた画像表示装置を、商品やテスターと同列に、規則的に並べて陳列するようにしたため、画像表示装置設置用に余分なスペースをとる必要がなく、陳列面全体をすっきりとみせることができる。しかも、設置された画像表示装置が、違和感なく規則的に商品もしくはテスターと並んで陳列されるため、全体として統一感、秩序感のある陳列構成となり、顧客に対し好感度を与えることができる。そして、上記画像表示装置の表示画面において、その近傍に陳列された商品もしくはテスターの商品情報や関連情報を豊富に提供するようになっているため、両者の位置関係をみれば、その情報に関する商品もしくはテスターを即座に特定することができ、その商品もしくはテスターに関し、強い印象を与えることができる。
【００２０】
そして、この商品陳列方法によれば、上記収容凹部を利用して、商品もしくはテスターの配置替えや商品の入れ替え等を容易に行うことができるだけでなく、画像表示装置の周辺における商品もしくはテスターの配置を変更した場合には、その変更に合わせて、上記画像表示装置による表示内容を変更するだけで、簡単に、新たな配置に対応した新しい情報を表示させることができるため、少ない労力で、常に顧客動向に合致した、最善の商品陳列構造を、具体的な商品関連情報とともに提供することができる。
【００２１】
また、本発明の商品陳列方法のなかでも、特に、上記商品もしくはテスターを個別に収容しうる収容凹部のうち、少なくともその一部を、商品もしくはテスターを複数個並べた状態で収容しうる連続凹部に形成し、少なくとも上記連続凹部内に商品もしくはテスターと上記画像表示装置とを組み合わせて収容するようにした場合には、上記連続凹部を利用して、より緊密な並び方で商品もしくはテスターと画像表示装置とを一まとまりで陳列することができるため、上記連続凹部と、それ以外の収容凹部との組み合わせによって、より変化に富んだ陳列構造を提供することができる。
【００２２】
さらに、画像表示装置として、上記商品もしくはテスターを複数個並べた状態の外形と略同一寸法の外形を有するものを用い、陳列予定面上に形成された上記と同様の連続凹部を利用して上記画像表示装置を陳列し、この連続凹部の一部もしくは連続凹部以外の収容凹部を利用して、画像表示装置と商品もしくはテスターとを陳列した場合には、これらを規則的に、統一感をもって陳列できるだけでなく、上記商品もしくはテスターの複数個分の外形の画像表示装置を用いることにより、より大きな画面で見やすく商品関連情報を提供することができる。
【００２３】
そして、本発明の商品陳列装置によれば、多数の商品やテスターが統一的に整然と陳列されており、しかもその陳列された商品やテスターに関する情報が、その陳列品のごく近傍に配置された画像表示装置の画面によって表示されるようになっているため、顧客がその情報を視覚的に確認しながら、商品やテスターを手にとることができ、顧客の関心を高めることができる。しかも、収容凹部に、商品やテスターと同列に画像表示装置が収容されているため、これらの配置替えや種類の変更の作業性がよいだけでなく、その変更後の配置に対応した商品情報を、その近傍の画像表示装置が表示するよう設定し直すだけで、簡単に、陳列形態に合致した情報提供を行うことができる。    
【図面の簡単な説明】
【００２４】
【図１】本発明の一実施の形態を示す斜視図である。
【図２】図１のＡ−Ａ′断面において、テスター収容皿と画像表示装置を取り出した状態を示す説明図である。
【図３】上記一実施の形態において、画像表示装置の陳列姿勢の変形例を示す斜視図である。
【図４】上記変形例における画像表示装置の設置方法の説明図である。
【図５】（ａ）、（ｂ）は、ともに上記画像表示装置の陳列に用いられる姿勢ガイドの説明図である。
【図６】上記画像表示装置の陳列姿勢の他の変形例を示す部分的な説明図である。
【図７】上記一実施の形態において、収容凹部の変形例を示す部分的な断面図である。
【図８】（ａ）は、上記画像表示装置の変形例を示す斜視図、（ｂ）は、上記画像表示装置に取り付けられた姿勢ガイドの説明図である。
【図９】（ａ）は、本発明の他の実施の形態を示す平面図、（ｂ）は、本発明のさらに他の実施の形態を示す平面図である。
【図１０】本発明の他の実施の形態を示す平面図である。
【図１１】従来のテスター陳列台の一例を示す斜視図である。
【発明を実施するための形態】
【００２５】
つぎに、本発明を実施するための形態について、詳細に説明する。ただし、本発明は、この実施の形態に限定されるわけではない。
【００２６】
図１は、本発明を、化粧品を取り扱う店舗の店頭に設置されるテスター陳列台に適用した一実施の形態を示す斜視図である。この陳列台の陳列面には、色見本として試用に供するパウダーファンデーション１０をテスター収容皿１１に充填してなるテスター１２と、商品に関する情報等を表示する画像表示装置１４Ａ〜１４Ｃとが、左右前後に規則的に並んだ状態で陳列されている。
【００２７】
この陳列台には、図１のＡ−Ａ′断面図である図２に示すように、テスター１２を各別に収容保持するための収容凹部１３が、前後に３個、左右に４個（合計１２個）、規則的に並んだ状態で形成されており、各収容凹部１３内に、テスター１２が個別に収容されている。これらのテスター１２は、図１１の場合と同様、外形寸法が６５ｍｍ×６５ｍｍ×１０ｍｍ）の、統一規格品である。
【００２８】
そして、そのうち、３個所の収容凹部１３内には、テスター１２に代えて、テスター１２の外形寸法と略同一寸法の外形を有する画像表示装置１４Ａ〜１４Ｃが収容されている。なお、画像表示装置１４Ａ〜１４Ｃの説明において、配置を問題にすることなく総称として「画像表示装置」を指す場合は、「画像表示装置１４」という。
【００２９】
上記画像表示装置１４の平面形状は、上記テスター１２の平面寸法と全く同一の、６５ｍｍ×６５ｍｍに設定されており、その厚み寸法も、上記テスター１２の厚みと同様、１０ｍｍに設定されている。しかし、その底面の前端部と後端部とが、図２において１４ａ、１４ｂで示すように、４５°のテーパ面に形成されている。したがって、本発明において、「外形が略同一寸法」とは、両者の要部（陳列時に顧客の目に晒される部分。この場合は、テスター１２と画像表示装置１４の平面形状）が略同一寸法であれば足りるのであり、陳列時に見えない部分との形状が多少異なっていてもよい。そして、要部においても、両者が完全に同一である必要はなく、寸法的に多少の差異（例えば±１０ｍｍ以内）があっても差し支えない。
【００３０】
そして、上記画像表示装置１４には、それぞれ、店舗内に設けられるサーバコンピュータから無線ＬＡＮを介して送信される画像データを受信する受信手段と、上記画像データを処理して液晶画面１５から表示させる画像処理手段とが設けられており、３種類の画像表示装置１４Ａ、１４Ｂ、１４Ｃ（図１に戻る）において、それぞれ異なる画像表示がなされるようになっている。なお、上記液晶画面１５は、タッチパネル式になっている。
【００３１】
上記画像表示装置１４をより具体的に説明すると、図１において、向かって左端の中段に配置された画像表示装置１４Ａの液晶画面１５には、その手前側と奥側に配置されたテスター１２ａ、１２ｂのファンデーション１０に関する情報（例えば、テスター１２ａ、１２ｂのファンデーション１０は赤ら顔の肌の赤みを抑えるためのものであり、その使用方法や、これらのファンデーション１０に組み合わせて用いることが好ましいフェイスカラーやメイクアップ化粧品の種類に関する情報）が表示されるようになっている。そして、液晶画面１５において表示される矢印表示１６をタッチすると、その矢印方向の先に配置されたテスター（１２ａか１２ｂ）が特定され、そのテスターに関し、より詳細な情報が得られるようになっている。
【００３２】
また、奥段の、右から２番目に配置された画像表示装置１４Ｂの液晶画面には、その左右に配置されたテスター１２ｃ、１２ｄのファンデーション１０に関する情報（例えば、テスター１２ｃ、１２ｄのファンデーション１０は顔色の悪い肌を明るく見せるためのものであり、その使用方法や、これらのファンデーション１０に組み合わせて用いることが好ましいフェイスカラーやメイクアップ化粧品の種類に関する情報）が表示されるようになっている。そして、上記の場合と同様、液晶画面１５において表示される矢印表示１６をタッチすると、その矢印方向の先に配置されたテスター（１２ｃか１２ｄ）が特定され、そのテスターに関し、より詳細な情報が得られるようになっている。
【００３３】
さらに、中段の、右から２番目に配置された画像表示装置１４Ｃの液晶画面には、その左右と手前側に配置された５つのテスター１２ｅ〜１２ｉのファンデーション１０に関する情報（例えば、これらのファンデーション１０は、多少色味が異なる標準的な肌に適用されるもので、その使用方法や、これらのファンデーション１０に組み合わせて用いることが好ましいフェイスカラーやメイクアップ化粧品の種類に関する情報）が表示されるようになっている。そして、上記の場合と同様、液晶画面１５において表示される矢印表示１６をタッチすると、その矢印方向の先に配置されたテスター（１２ｅ〜１２ｉのいずれか）が特定され、そのテスターに関し、より詳細な情報が得られるようになっている。
【００３４】
したがって、この構成によれば、多数のテスター１２が画像表示装置１４とともに、統一的に整然と陳列されており、全体として、非常にすっきりした印象を与えることができる。しかも、その陳列されたテスター１２に関する情報が、その画面に表示される矢印表示１６によって、その近隣のテスター１２と関連づけられた状態で表示されるようになっているため、顧客がその情報を視覚的に確認しながら、その特定のテスター１２を手にとることができ、顧客の関心を高めることができる。しかも、収容凹部１３に、テスター１２と同列に画像表示装置１４が収容されているため、これらの配置替えや種類の変更の作業性がよいだけでなく、その変更後の配置に対応した商品情報を、その近傍の画像表示装置１４が表示するよう設定し直すだけで、簡単に、陳列形態に合致した情報提供を行うことができる。
【００３５】
なお、上記の例において、画像表示装置１４の前後の端部が４５°のテーパ面に形成されていることを利用して、例えば図３に示すように、画像表示装置１４の少なくとも一つ( この例では１４Ｂ）を、４５°傾斜した姿勢で起立させることにより、その液晶画面１５を、平坦な陳列面から突出させて、より目立たせることができる。
【００３６】
上記起立姿勢を安定的に保持するには、例えばその縦断面図である図４および斜視図である図５（ａ）に示すように、屈曲形状の起立ガイド２０を、陳列台の収容凹部１３と画像表示装置１４Ｂの底面との間に嵌め込むことが好適である。このとき、上記起立ガイド２０の下辺部２０ａを、収容凹部１３の底面において、画像表示装置１４Ｂと収容凹部１３の立ち上がり壁１３ａとの間にちょうど収まる寸法に設定しておけば、画像表示装置１４Ｂががたつくことがなく、使い勝手がよい。
【００３７】
また、上記屈曲形状の起立ガイド２０に代えて、図５（ｂ）に示すような、三角柱形状の起立ガイド２０′を用いることもできる。これらの起立ガイド２０、２０′は、樹脂成形品の他、金属、木、紙等によって形成することができる。
【００３８】
なお、画像表示装置１４を起立させる場合の角度は、４５°に限らず、陳列台における陳列面の傾斜角度等に応じて、画像表示装置１４が他の陳列品より突出した傾斜で見やすい適宜の角度に調整することが好適である。ちなみに、陳列面が水平な場合には、例えば図６に示すように、断面Ｌ字状の起立ガイド２０″を用いて、画像表示装置１４を垂直に立てることが好適である。
【００３９】
また、起立ガイド２０等を用いるのではなく、例えば、図７に示すように、陳列台の収容凹部１３の内壁面に、起立姿勢保持用の突条２１を設け、この突条２１の傾斜面２１ａによって、画像表示装置１４の前端部を挟持することによって、画像表示装置１４を斜めに起立保持するようにしてもよい。この場合、上記突条２１の上面２１ｂを利用して、起立させない画像表示装置１４や、他のテスター１２を収容保持することができる。
【００４０】
なお、上記の例では、画像表示装置１４に起立姿勢を与えやすいよう、その前後の端部にテーパ面１４ａ、１４ｂを設けた（図２参照）が、このようなテーパ面１４ａ、１４ｂは必ずしも必要ではなく、図８（ａ）に示すような形状であっても差し支えない。そして、この場合、例えば図８（ｂ）に示すように、その底面に、いわゆる額縁立てのような起立ガイド２２を取り付けるようにしてもよい。
【００４１】
また、上記の例では、陳列台の陳列面に、テスター１２を各別に収容保持する収容凹部１３を設けたが、収容凹部１３の形状は、これに限るものではなく、例えば、図９（ａ）に示すように、テスター１２が横１列に複数個ずつ（この図では４個ずつ）並ぶ連続凹部２５を形成するようにしてもよい。この連続凹部２５を利用して、テスター１２と画像表示装置１４とを組み合わせて陳列してもよいし、テスター１２のみを並べて陳列してもよい。
【００４２】
この構成によれば、より緊密な並び方でテスター１２と画像表示装置１４とを一まとまりで陳列することができる。そして、左右方向にスライドさせながらテスター１２や画像表示装置１４の配置替えを行うことができ、作業がしやすいという利点を有する。
【００４３】
もちろん、陳列台の陳列面に、上記連続凹部２５と、各別にテスター１２を収容しうる収容凹部１３（図１参照）とを、適宜の配置で形成して、テスター１２と画像表示装置１４の陳列に利用することもできる。
【００４４】
さらに、上記画像表示装置１４に代えて、例えば図９（ｂ）に示すように、その外形が、この陳列台に陳列されるテスター１２を複数個（この図では２個）並べた状態の外形と略同一寸法となる画像表示装置２６を準備し、上記と同様の連続凹部２５を利用して、この画像表示装置２６とテスター１２とを組み合わせて陳列するようにしてもよい。もちろん、連続凹部２５の形状によっては、この凹部２５内に画像表示装置２６のみを収容保持するようにしてもよい。
【００４５】
この構成によれば、画像表示装置２６とテスター１２とを規則的に、統一感をもって陳列できるだけでなく、上記画像表示装置２６を用いることにより、より大きな画面で見やすく商品関連情報を提供することができる。また、画面が大きくなることから、この画面を複数分割して、各分割画面において、それぞれ隣接した配置のテスター１２に関する情報を表示することができる。なお、上記テスター複数個分の大きい画像表示装置２６と、前記一個分の画像表示装置１４とを組み合わせて用いるようにしてもよい。
【００４６】
そして、上記の例は、テスター１２と画像表示装置１４を隙間なく縦横に並べた陳列であるが、例えば、図１０に示すように、それらを斜めに配置したり、間隔を空けて配置したりすることもできる。そして、上記テスター１２と画像表示装置１４の陳列の間のスペースには、図示のように、棒状のリップカラーテスター４０や、チークカラーテスター４１を、併せて陳列することができる。
【００４７】
さらに、上記の例では、テスター１２の規格化された外形寸法が６５ｍｍ×６５ｍｍ×１０ｍｍであるが、上記規格寸法は、商品の種類やシリーズによって、適宜の大きさに設定されるものであり、固定的なものではない。
【００４８】
そして、上記の例では、画像表示装置１４に対して、店舗内に別途設けられるサーバコンピュータから画像データを送信するようにしたが、画像データの提供手段は、サーバコンピュータに限らず、例えば、ＰＯＳレジ等を利用して行うこともできる。また、画像データの送信手段は、無線であっても有線であってもよいが、有線の場合、陳列台において、配線用のスペースを考慮する必要があるため、無線の方が好ましい。
【００４９】
さらに、インターネット回線に接続されたサーバコンピュータ等を利用することにより、異なる店舗やデータ管理機関等において設定された陳列管理システムと、店舗における各画像表示装置１４とを接続し、上記システムに陳列データを送信し、最適な画像データを上記システムから配信して、多数の店舗の陳列態様と画像表示とを一括管理することも可能である。
【００５０】
また、上記の例では、画像表示装置１４が、液晶画面１５を備えたものであるが、画像表示部の構成は、液晶画面に限らず、プラズマ画面、ブラウン管画面等、各種の画面表示手段を採用することができる。なかでも、画面の鮮明度とコンパクト化の容易性から、液晶画面を用いることが最適である。
【００５１】
そして、上記の例では、画像表示装置１４の液晶画面１５をタッチパネル式の画面とし、その画面上に、周囲に配置されたテスター１２を指し示す矢印表示１６（図１参照）を表示するようにしたが、テスター１２を特定するための表示は、これに限るものではない。例えば、その画面上に、画像表示装置１４を中心とする陳列構成の模式図を表示し、その模式図から、目的とするテスター１２をタッチして特定できるようにしてもよい。あるいは、画面上に、順次、その周囲に配置されたテスター１２の説明が流れるようにしておき、特定の画面になった時点で、これをタッチして画像を停止させたり、スローモーションにしたりして、テスター１２を試供する際の参考にさせるようにしてもよい。もちろん、画面上に、特に、周囲のテスター１２から特定のテスター１２を選択するための選択手段を設けなくても、その画像表示装置１４の画面上に、その周囲のテスター１２に関する商品情報が表示されるだけで、顧客は、その近傍に陳列された具体的なテスター１２と関連づけながらその情報を知得することができ、一定の効果を奏する。
【００５２】
さらに、上記の例では、陳列対象が、化粧品であるファンデーション１１のテスター１２であったが、本発明の陳列対象は、化粧品のテスターに限らず、実際の商品そのものであってもよい。また、薬品や食品等であってもよい。ただし、それらの商品は、いずれも、同一寸法に規格されたものを並べて陳列するものであり、その外形寸法と略同一に設定された画像表示装置と組み合わせて陳列するようにしたものでなければならない。
【産業上の利用可能性】
【００５３】
本発明は、化粧品等の商品をわかりすく陳列するための陳列方法およびそれに用いる陳列台に利用することができる。
【符号の説明】
【００５４】
１２  テスター
１３  収容凹部
１４Ａ、１４Ｂ、１４Ｃ  画像表示装置
１５  液晶画面
【図１】
2010207277.tif 000003
【図２】
2010207277.tif 000004
【図３】
2010207277.tif 000005
【図４】
2010207277.tif 000006
【図５】
2010207277.tif 000007
【図６】
2010207277.tif 000008
【図７】
2010207277.tif 000009
【図８】
2010207277.tif 000010
【図９】
2010207277.tif 000011
【図１０】
2010207277.tif 000012
【図１１】
2010207277.tif 000013